(57)【特許請求の範囲】
【請求項１】
複数の機器がシリアルインターフェースバスにより接続されてネットワークを構築し、該ネットワークに接続された１個の機器（以下、「送信機器」と言う。）から少なくとも２個の他の接続された機器（以下、「受信機器」と言う。）への１：多通信を可能としているシリアルインターフェースバス接続ネットワークにおいて、
１：多の各通信についての送信機器、受信機器、及びデータフォーマットの関連付け情報を更新自在に登録するデータ伝送マネージャを設け、
送信機器が受信機器へ伝送するデータのフォーマット（以下、「データフォーマット」と言う。）を変更する場合には、該送信機器に係る関連付け情報に基づいて割り出した相手方受信機器へ変更後のデータフォーマットを通知するようになっていることを特徴とするシリアルインターフェースバス接続ネットワーク。
【請求項２】
前記送信機器は、最初の送信に先立ち又は最初の送信の際に前記データ伝送マネージャへデータフォーマットを届け出て、前記データ伝送マネージャは前記送信機器からの該届け出に伴い該送信機に係る関連付け情報を登録開始するようになっていることを特徴とする請求項１記載のシリアルインターフェースバス接続ネットワーク。
【請求項３】
前記受信機器は、その相手側送信機器を前記データ伝送マネージャへ届け出て、前記データ伝送マネージャは、該受信機器からの届け出に基づいて該受信機器に係る関連付け情報を更新するようになっていることを特徴とする請求項１又は２記載のシリアルインターフェースバス接続ネットワーク。
【請求項４】
前記データ伝送マネージャは、受信機器よりその受信機器の相手側送信機器の届け出を受け付けたときには、該受信機器へ該相手側送信機器のデータフォーマットを通知するようになっていることを特徴とする請求項３記載のシリアルインターフェースバス接続ネットワーク。
【請求項５】
前記送信機器は、データフォーマットを変更するときは前記データ伝送マネージャへ変更後のデータフォーマットを届け出て、前記データ伝送マネージャは、該送信機器からの届け出に基づいて該送信機器に係る関連付け情報を更新するようになっていることを特徴とする請求項１〜４のいずれかに記載のシリアルインターフェースバス接続ネットワーク。
【請求項６】
前記データ伝送マネージャは、送信機器からデータフォーマットの変更の届け出を受け付けたときは、変更後のデータフォーマットを、該送信機器に係る関連付け情報に基づいて該送信機器の相手方受信機器として割り出した各受信機器へ変更後のデータフォーマットを通知するようになっていることを特徴とする請求項５記載のシリアルインターフェースバス接続ネットワーク。
【請求項７】
受信機器は、受信を中止する相手側送信機器を前記データ伝送マネージャへ届け出て、前記データ伝送マネージャは、該受信機器からの届け出に基づいて該受信機器に係る関連付け情報を更新するようになっていることを特徴とする請求項１〜６のいずれかに記載のシリアルインターフェースバス接続ネットワーク。
【請求項８】
複数の機器がシリアルインターフェースバスにより接続されてネットワークを構築し、該ネットワークに接続された１個の機器（以下、「送信機器」と言う。）から少なくとも２個の他の接続された機器（以下、「受信機器」と言う。）への１：多通信を可能としているシリアルインターフェースバス接続ネットワークの制御方法において、
各送信機器に係わる１：多通信についての送信機器、受信機器、及びデータフォーマットの関連付け情報を更新自在に登録するデータ伝送マネージャを設け、
送信機器が受信機器へ伝送するデータのフォーマット（以下、「データフォーマット」と言う。）を変更する場合には、該送信機器に係る関連付け情報に基づいて割り出した相手方受信機器へ変更後のデータフォーマットを通知するようになっていることを特徴とするシリアルインターフェースバス接続ネットワークの制御方法。
【請求項９】
前記送信機器は、最初の送信に先立ち又は最初の送信の際に前記データ伝送マネージャへデータフォーマットを届け出て、前記データ伝送マネージャは前記送信機器からの該届け出に伴い該送信機に係る関連付け情報を登録開始するようになっていることを特徴とする請求項８記載のシリアルインターフェースバス接続ネットワークの制御方法。
【請求項１０】
前記受信機器は、その相手側送信機器を前記データ伝送マネージャへ届け出て、前記データ伝送マネージャは、該受信機器からの届け出に基づいて該受信機器に係る関連付け情報を更新するようになっていることを特徴とする請求項８又は９記載のシリアルインターフェースバス接続ネットワークの制御方法。
【請求項１１】
前記データ伝送マネージャは、受信機器よりその受信機器の相手側送信機器の届け出を受け付けたときには、該受信機器へ該相手側送信機器のデータフォーマットを通知するようになっていることを特徴とする請求項１０記載のシリアルインターフェースバス接続ネットワークの制御方法。
【請求項１２】
前記送信機器は、データフォーマットを変更するときは前記データ伝送マネージャへ変更後のデータフォーマットを届け出て、前記データ伝送マネージャは、該送信機器からの届け出に基づいて該送信機器に係る関連付け情報を更新するようになっていることを特徴とする請求項８〜１１のいずれかに記載のシリアルインターフェースバス接続ネットワークの制御方法。
【請求項１３】
前記データ伝送マネージャは、送信機器からデータフォーマットの変更の届け出を受け付けたときは、変更後のデータフォーマットを、該送信機器に係る関連付け情報に基づいて該送信機器の相手方受信機器として割り出した各受信機器へ変更後のデータフォーマットを通知するようになっていることを特徴とする請求項１２記載のシリアルインターフェースバス接続ネットワークの制御方法。
【請求項１４】
受信機器は、受信を中止する相手側送信機器を前記データ伝送マネージャへ届け出て、前記データ伝送マネージャは、該受信機器からの届け出に基づいて該受信機器に係る関連付け情報を更新するようになっていることを特徴とする請求項８〜１３のいずれかに記載のシリアルインターフェースバス接続ネットワークの制御方法。
【発明の詳細な説明】
【０００１】
【発明の属する技術分野】
本発明は、例えばＩＥＥＥ１３９４のようなシリアルインターフェースバス接続ネットワーク及びその制御方法に関するものである。
【０００２】
【従来の技術】
複数のＡＶ機器間でＡＶデータを送受するネットワークの一つとしてＩＥＥＥ１３９４ネットワークがある。ＩＥＥＥ１３９４ネットワークでは、所定のバス管理ノードが、ノード制御、アイソクロナス資源管理、及びバス・マネージャと言う管理機能を果たしつつ、１個の送信機器から複数個の受信機器への１：多のアイソクロナス転送を可能にしている。
【０００３】
【発明が解決しようとする課題】
従来のＩＥＥＥ１３９４ネットワークでは、アイソクロナス転送において、送信機器が、送信データのフォーマット（以下、適宜「データフォーマット」と言う。）を変更する場合、送信機器は、相手方の受信機器がどれであるかを認識していないので、ＩＥＥＥ１３９４ネットワークへ接続されている最悪、全部の機器について、それが該送信機器の相手方受信機器となっているか否かを調べ上げ、相手方受信機器となっている機器へ変更後のデータフォーマットを通知する必要がある。このことは、データフォーマットの切替に伴う処理時間を長くし、かつ通信効率を低下させる原因になる。
【０００４】
本発明の目的は、１個の受信機器から所定の複数の受信機器への１：多通信において、データフォーマットの変更に伴う処理を効率化できるシリアルインターフェースバス接続ネットワーク及びその制御方法をを提供することである。
【０００５】
【課題を解決するための手段】
第１の発明のシリアルインターフェースバス接続ネットワークによれば、複数の機器がシリアルインターフェースバスにより接続されてネットワークを構築し、該ネットワークに接続された１個の機器（以下、「送信機器」と言う。）から少なくとも２個の他の接続された機器（以下、「受信機器」と言う。）への１：多通信を可能としている。該シリアルインターフェースバス接続ネットワークは、１：多の各通信についての送信機器、受信機器、及びデータフォーマットの関連付け情報を更新自在に登録するデータ伝送マネージャを設け、送信機器が受信機器へ伝送するデータのフォーマット（以下、「データフォーマット」と言う。）を変更する場合には、該送信機器に係る関連付け情報に基づいて割り出した相手方受信機器へ変更後のデータフォーマットを通知するようになっている。
【０００６】
１：多通信の「多」とは、「複数」の意味であり、２以上を意味する。シリアルインターフェースバス接続ネットワークにはＩＥＥＥ１３９４ネットワークが含まれる。１：多通信には、少なくともＩＥＥＥ１３９４ネットワークのアイソクロナス転送が含まれる。データ伝送マネージャ及び送信機器は、例えばＡＶ（オーディオ及びビジュアル）機器を含み、データ伝送マネージャ及び送信機器間で送受されるデータには、例えばＡＶデータが含まれる。
【０００７】
「データフォーマット」とは、本発明の適用されるシリアルインターフェースバス接続ネットワークがＩＥＥＥ１３９４ネットワークである場合には、例えばＩＥＣ６１８８３（←ＩＥＥＥ１３９４企画のＩＥＣ番号）で信号フォーマットとして定義されるものであり、ＩＥＣ６１８８３では下記のようになっている。
ＩＥＣ６１８８３−１：Ｇｅｎｅｒａｌ。
ＩＥＣ６１８８３−２：ＳＤ−ＤＶＣＲ。
ＩＥＣ６１８８３−３：ＨＤ−ＤＶＣＲ。
ＩＥＣ６１８８３−４：ＭＰＥＧ２−ＴＳ。
ＩＥＣ６１８８３−５：ＳＤＬ−ＤＶＣＲ。
ＩＥＣ６１８８３−６：Ａｕｄｉｏ。
【０００８】
ＩＥＥＥ１３９４ネットワークのアイソクロナス転送では、チャンネルが割り当てられ、その場合、各関連付け情報はチャンネルに対応させて登録されるのが好ましい。シリアルインターフェースバス接続ネットワークがＩＥＥＥ１３９４ネットワークである場合には、アイソクロナス・リソース・マネージャが存在し、送信機器は、送信に際して、アイソクロナス・リソース・マネージャからアイソクロナスチャンネルと通信帯域を貰うことになっている。すなわち、１回の送信ごとにチャンネルが変更されることになり、関連付け情報をチャンネルに対応させて登録すると、次の送信には登録された関連付け情報が利用できない。そこで、本発明をＩＥＥＥ１３９４ネットワークに適用する場合には、アイソクロナス・リソース・マネージャは、送信の申請のあった送信機にアイソクロナスチャンネルを発行すると、該送信機の開放（送信終了）まで、確保されること着目し、送信機器は、アイソクロナス・リソース・マネージャではなく、データ伝送マネージャに送信希望を伝え、データ伝送マネージャは、該送信機器の代理を行って、アイソクロナス・リソース・マネージャと交渉して、アイソクロナス・リソース・マネージャからアイソクロナスチャンネルを貰い、該送信機器が今回の送信を終了しても、アイソクロナス・リソース・マネージャへは送信終了を通知しないことにしておけば、一度、付与されたアイソクロナスチャンネルを必要な時まで確保することができ、該送信機器に対して送信の都度、アイソクロナスチャンネルが変更する支障を回避できる。
【０００９】
第１及び第８の発明において、送信機器に係る関連付け情報に基づいて割り出した相手方受信機器へ変更後のデータフォーマットを通知するのは、好ましくはデータ伝送マネージャであるが、データ伝送マネージャでなくてもよい。送信機器が、データ伝送マネージャの関連付け情報を参照して、相手方受信機器を割り出し、割り出した相手方受信機へ変更後のデータフォーマットを通知することもできる。
【００１０】
このように、データ伝送マネージャが、１：多通信の各々についての送信機器、受信機器、及びデータフォーマットの関連付け情報を登録しているので、送信機器がそのデータフォーマットを変更する場合は、該送信機器に係る関連付け情報から割り出した相手方受信機器へ変更後のデータフォーマットを通知することにより、受信機器は、データフォーマットの変更があっても、送信機器からのデータを支障なく処理できる。また、データフォーマットの変更があった場合、シリアルインターフェースバス接続ネットワークのどの機器が該送信機器の相手方受信機器になっているかをデータ伝送マネージャの関連情報の参照により直ちに把握することができるので、データフォーマットの変更に伴う付帯処理を能率化できる。
【００１１】
第２の発明のシリアルインターフェースバス接続ネットワークによれば、第１の発明のシリアルインターフェースバス接続ネットワークにおいて、送信機器は、最初の送信に先立ち又は最初の送信の際にデータ伝送マネージャへデータフォーマットを届け出て、データ伝送マネージャは送信機器からの該届け出に伴い該送信機に係る関連付け情報を登録開始するようになっている。
【００１２】
送信機器が、最初の送信に先立ち又は最初の送信の際にデータフォーマットをデータ伝送マネージャへ自主的に届け出るので、データ伝送マネージャは、シリアルインターフェースバス接続ネットワーク上のどの機器が送信機器となるのかを常時監視する手間を省かれ、負担を軽減されるとともに、送信機器に係る関連付け情報の登録開始を円滑に実施できる。
【００１３】
第３の発明のシリアルインターフェースバス接続ネットワークによれば、第１の又は第２の発明のシリアルインターフェースバス接続ネットワークにおいて、受信機器は、その相手側送信機器をデータ伝送マネージャへ届け出て、データ伝送マネージャは、該受信機器からの届け出に基づいて該受信機器に係る関連付け情報を更新するようになっている。
【００１４】
受信機器は、相手方送信機器がどれであるかをデータ伝送マネージャへ自主的に届け出るので、データ伝送マネージャは、シリアルインターフェースバス接続ネットワーク上の各機器へその相手方送信機器がどれであるかを一々問い合わせる手間を省略できる。
【００１５】
第４の発明のシリアルインターフェースバス接続ネットワークによれば、第３の発明のシリアルインターフェースバス接続ネットワークにおいて、データ伝送マネージャは、受信機器よりその受信機器の相手側送信機器の届け出を受け付けたときには、該受信機器へ該相手側送信機器のデータフォーマットを通知するようになっている。
【００１６】
受信機器は、データ伝送マネージャへ相手方送信機器を届け出ると、データ伝送マネージャからデータフォーマットを通知されるので、速やかに相手方送信機器から受信データの処理に対処できる。
【００１７】
第５の発明のシリアルインターフェースバス接続ネットワークによれば、第１〜第４の発明のシリアルインターフェースバス接続ネットワークにおいて、送信機器は、データフォーマットを変更するときはデータ伝送マネージャへ変更後のデータフォーマットを届け出て、データ伝送マネージャは、該送信機器からの届け出に基づいて該送信機器に係る関連付け情報を更新するようになっている。
【００１８】
送信機器は、データフォーマットを変更するときはデータ伝送マネージャへ変更後のデータフォーマットを届け出るようになっていることにより、データ伝送マネージャは、送信機器のデータフォーマットの変更を監視するために、送信機器へ頻繁に問い合わせる手間を省略することができる。
【００１９】
第６の発明のシリアルインターフェースバス接続ネットワークによれば、第１〜第４のいずかの発明のシリアルインターフェースバス接続ネットワークにおいて、データ伝送マネージャは、送信機器からデータフォーマットの変更の届け出を受け付けたときは、変更後のデータフォーマットを、該送信機器に係る関連付け情報に基づいて該送信機器の相手方受信機器として割り出した各受信機器へ変更後のデータフォーマットを通知するようになっている。
【００２０】
データ伝送マネージャは、送信機器よりデータフォーマットの変更を通知されると、変更後のデータフォーマットを該送信機器の相手側受信機器へ通知するので、各受信機器は送信機器の変更後のデータフォーマットに速やかに対処できる。
【００２１】
第７の発明のシリアルインターフェースバス接続ネットワークによれば、第１〜第６の発明のシリアルインターフェースバス接続ネットワークにおいて、受信機器は、受信を中止する相手側送信機器をデータ伝送マネージャへ届け出て、データ伝送マネージャは、該受信機器からの届け出に基づいて該受信機器に係る関連付け情報を更新するようになっている。
【００２２】
受信機器は、受信を中止する送信機器をデータ伝送マネージャへ届け出ることになっているので、データ伝送マネージャは、関連付け情報の更新のために、各送信機器へ頻繁に問い合わせる手間を省略することができる。
【００２３】
第８の発明のシリアルインターフェースバス接続ネットワークの制御方法によれば、複数の機器がシリアルインターフェースバスにより接続されてネットワークを構築し、該ネットワークに接続された１個の機器（以下、「送信機器」と言う。）から少なくとも２個の他の接続された機器（以下、「受信機器」と言う。）への１：多通信を可能としているシリアルインターフェースバス接続ネットワークの制御方法において、各送信機器に係わる１：多通信についての送信機器、受信機器、及びデータフォーマットの関連付け情報を更新自在に登録するデータ伝送マネージャを設け、送信機器が受信機器へ伝送するデータのフォーマット（以下、「データフォーマット」と言う。）を変更する場合には、該送信機器に係る関連付け情報に基づいて割り出した相手方受信機器へ変更後のデータフォーマットを通知するようになっている。
【００２４】
第９の発明のシリアルインターフェースバス接続ネットワークの制御方法によれば、第８の発明のシリアルインターフェースバス接続ネットワークの制御方法において、送信機器は、最初の送信に先立ち又は最初の送信の際にデータ伝送マネージャへデータフォーマットを届け出て、データ伝送マネージャは送信機器からの該届け出に伴い該送信機に係る関連付け情報を登録開始するようになっている。
【００２５】
第１０の発明のシリアルインターフェースバス接続ネットワークの制御方法によれば、第８又は第９の発明のシリアルインターフェースバス接続ネットワークの制御方法において、受信機器は、その相手側送信機器をデータ伝送マネージャへ届け出て、データ伝送マネージャは、該受信機器からの届け出に基づいて該受信機器に係る関連付け情報を更新するようになっている。
【００２６】
第１１の発明のシリアルインターフェースバス接続ネットワークの制御方法によれば、第１０の発明のシリアルインターフェースバス接続ネットワークの制御方法において、データ伝送マネージャは、受信機器よりその受信機器の相手側送信機器の届け出を受け付けたときには、該受信機器へ該相手側送信機器のデータフォーマットを通知するようになっている。
【００２７】
第１２の発明のシリアルインターフェースバス接続ネットワークの制御方法によれば、第８〜第１１のいずれか発明のシリアルインターフェースバス接続ネットワークの制御方法において、送信機器は、データフォーマットを変更するときはデータ伝送マネージャへ変更後のデータフォーマットを届け出て、データ伝送マネージャは、該送信機器からの届け出に基づいて該送信機器に係る関連付け情報を更新するようになっている。
【００２８】
第１３の発明のシリアルインターフェースバス接続ネットワークの制御方法によれば、第１２の発明のシリアルインターフェースバス接続ネットワークの制御方法において、データ伝送マネージャは、送信機器からデータフォーマットの変更の届け出を受け付けたときは、変更後のデータフォーマットを、該送信機器に係る関連付け情報に基づいて該送信機器の相手方受信機器として割り出した各受信機器へ変更後のデータフォーマットを通知するようになっている。
【００２９】
第１４の発明のシリアルインターフェースバス接続ネットワークの制御方法によれば、第８〜第１３のいずれか発明のシリアルインターフェースバス接続ネットワークの制御方法において、受信機器は、受信を中止する相手側送信機器をデータ伝送マネージャへ届け出て、データ伝送マネージャは、該受信機器からの届け出に基づいて該受信機器に係る関連付け情報を更新するようになっている。
【００３０】
【発明の実施の形態】
以下、発明の実施の形態について図面を参照して説明する。
図１はＩＥＥＥ１３９４ネットワークシステム１０のブロック図である。ＩＥＥＥ１３９４ネットワーク２０上には、複数の機器がＩＥＥＥ１３９４バスのディジーチェーンやスター接続等の接続方式により接続される。ＩＥＥＥ１３９４ネットワーク２０では、１：多のアイソクロナス転送が設定され、各アイソクロナス転送では、ＩＥＥＥ１３９４ネットワーク２０に接続中の機器の内の１個が送信機器となり、他の所定の１個以上の機器が受信機器となる。図１では、Ｎチャンネルアイソクロナス転送に係る送信機器及び受信機器として、それぞれ送信機器１、及び受信機器２，３，・・・，ｎが例示されている。ＩＥＥＥ１３９４ネットワーク２０へ接続されている機器の内の特定の１個の機器がデータ伝送マネージャ３０に設定される。データ伝送マネージャ３０は、送信機器１、及び受信機器２，３，・・・，ｎの中から選択されることもあり得る。データ伝送マネージャ３０には、アイソクロナス転送のチャンネルの０〜Ｎに対応して０チャンネル用登録エリア４０〜Ｎチャンネル用登録エリア４Ｎが設定され、各０チャンネル用登録エリアは、送信機器、受信機器、及びメッセージの各フィールドをもつ。例えば、Ｎチャンネルのアイソクロナス転送では、送信機器１、及び受信機器２，３，・・・，ｎが設定されているてので、Ｎチャンネル用登録エリア４Ｎの送信機器のフィールドには、送信機器１が、また、受信機器のフィールドには、受信機器２，３，・・・，ｎが、それぞれ登録されている。さらに、Ｎチャンネル用登録エリア４Ｎのメッセージのフィールドには、送信機器１の送信データのフォーマットが登録される。
【００３１】
Ｎチャンネルのアイソクロナス転送の実施に伴う処理手順を説明しつつ、データ伝送マネージャ３０の管理機能について説明する。
送信機器１がアイソクロナス転送でデータを送信する場合の処理手順：
（ａ）送信機器１はデータ伝送マネージャ３０に「送信」を申請する。
（ｂ）送信を申請されたデータ伝送マネージャ３０は、アイソクロナス・リソース・マネージャ（アイソクロナス・リソース・マネージャはルートのノードが担当する。）から送信チャンネルと帯域を取得する。
（ｃ）上記（ｂ）で取得した送信チャンネルをＮと仮定する。データ伝送マネージャ３０は、Ｎチャンネル用登録エリア４Ｎの送信機器のフィールドに送信機器１を書き込む。同時に、送信機器１へ、送信チャンネルＮを取得したことを通知する。
（ｄ）送信機器１は、Ｎの送信チャンネルによりデータを送信開始する。送信機器１は、同時に、データ伝送マネージャ３０へ送信データのフォーマットを通知する。送信機器１からデータ伝送マネージャ３０への送信データのフォーマットの通知は、送信機器１がＮの送信チャンネルによりデータ送信を開始する前であってもよい。
（ｅ）データ伝送マネージャ３０は、送信機器１から送信データのフォーマットを通知されると、該フォーマットをＮチャンネル用登録エリア４Ｎのメッセージフィールドに登録する。
【００３２】
受信機器２がアイソクロナス転送でデータを受信する場合の処理手順（送信機器が受信機器２以外の場合も同一である。）：
（ａ）受信機器２が相手側送信機器として送信機器１を希望するときは、受信機器２は、その旨をデータ伝送マネージャ３０へ通知する。メッセージエリアに書き込まれている送信機器１の送信データのフォーマットを受信機器２へ通知する。
（ｂ）データ伝送マネージャ３０は、受信機器２から送信機器１が受信機器２の受信希望の相手側送信機器である旨を通知されると、送信機器１に対応付けられているＮチャンネル用登録エリア４Ｎの受信機器フィールドに受信機器２を書き込む。データ伝送マネージャ３０は、また、送信機器１が送信するアイソクロナス転送の伝送チャンネルがＮであること及び送信機器１からの送信データのフォーマットを受信機器２へ通知する。
（ｃ）受信機器２は、データ伝送マネージャ３０から通知された伝送チャンネルＮ及びフォーマットに基づいて以降の送信機器１からのデータを受信する。
【００３３】
送信機器１が送信データのフォーマットを変更する場合の処理手順：
（ａ）送信機器１はデータ伝送マネージャ３０へフォーマット変更を申請する。
（ｂ）データ伝送マネージャ３０は、送信機器１からのフォーマット変更の申請を許可する旨を通知する。
（ｃ）送信機器１は、データ伝送マネージャ３０へ変更後のフォーマットを通知する。
（ｄ）データ伝送マネージャ３０は、送信機器１から通知された変更後のフォーマットへＮチャンネル用登録エリア４Ｎのメーセージエリアの内容を更新する。
（ｅ）データ伝送マネージャ３０は、送信機器１に対応付けられているＮチャンネル用登録エリア４Ｎの受信機器フィールドに書き込まれている受信機器リストの１番目の受信機器としての受信機器２へ変更後のフォーマットを通知する。
（ｆ）受信機器２は、フォーマットをデータ伝送マネージャ３０から通知されたものへ変更するとともに、変更終了した旨をデータ伝送マネージャ３０へ通知する。
（ｇ）データ伝送マネージャ３０は、Ｎチャンネル用登録エリア４Ｎの受信機器フィールドに書き込まれている受信機器リストの２番目の受信機器へ変更後のフォーマットを通知し、該２番目の受信機器は、フォーマットを変更すると、その旨をデータ伝送マネージャ３０へ通知する。同じことを受信機器リストの最後の受信機器としての受信機器ｎまで繰り返す。
（ｈ）データ伝送マネージャ３０は、相手側受信機器の全部へのフォーマット変更通知が完了した旨を送信機器１へ通知する。
（ｉ）送信機器１は変更後のフォーマットによるデータをＮチャンネルで送信する。
【００３４】
受信機器２が送信機器１からのデータ受信を中止する場合の処理手順（送信機器が受信機器２以外の場合も同一である。）：
（ａ）受信機器２は、送信機器１からのデータ受信を中止する旨をデータ伝送マネージャ３０へ通知する。
（ｂ）データ伝送マネージャ３０は、受信機器２に対応付けられているＮチャンネル用登録エリア４Ｎの受信機器フィールドから受信機器２を削除し、受信機器２へ削除完了を通知する。
（ｃ）受信機器２は送信機器１からの受信を終了する。
【図面の簡単な説明】
【図１】ＩＥＥＥ１３９４ネットワークシステムのブロック図である。
【符号の説明】
１０    ＩＥＥＥ１３９４ネットワークシステム（シリアルインターフェースバス接続ネットワーク）
２０    ＩＥＥＥ１３９４ネットワーク（シリアルインターフェースバス）
３０    データ伝送マネージャ
４Ｎ    Ｎチャンネル用登録エリア４Ｎ
【図１】
0003713198.tif 000002